(57)【要約】【課題】  フェース部の耐久性の低下を防止しつつ反発性能を向上でき、飛距離を増大させることが可能なゴルフクラブヘッドを提供する。【解決手段】  ボールを打球するフェース部２を有するゴルフクラブヘッドは、フェース部２の内面に、スイートスポット点をフェース部２の中心点として所定の厚さを有する円形状の中央厚肉部２ａと、この中央厚肉部２ａの外縁を囲むように形成された環状溝２ｂを有し、この環状溝２ｂは、中央厚肉部２ａから環状溝２ｂの底部に向けて傾斜させた斜面２ｃが形成されるとともに、環状溝２ｂの外縁側はフェース部２に対してほぼ垂直な壁面２ｄを形成して断面形状を略Ｖ字状に形成し、環状溝２ｂの底部とフェース部２との間の厚さを０．１ｍｍ〜０．９ｍｍとする。【選択図】図１
2017038905.tif 000002
【特許請求の範囲】
【請求項１】
ボールを打球するフェース部を有するゴルフクラブヘッドであって、
前記フェース部の内面には、スイートスポット点を前記フェース部の中心点として所定の厚さを有する円形状の中央厚肉部と、
この中央厚肉部の外縁を囲むように形成された環状溝を有し、
この環状溝は、前記中央厚肉部から前記環状溝の底部に向けて傾斜させた斜面が形成されるとともに、前記環状溝の外縁側は前記フェース部に対してほぼ垂直な壁面を形成して断面形状を略Ｖ字状に形成し、前記環状溝の底部と前記フェース部との間の厚さを０．１ｍｍ〜０．９ｍｍとしたことを特徴とするゴルフクラブヘッド。
【請求項２】
中央厚肉部及び環状溝は、所定形状に形成されたフェース部の内面に一体に形成した請求項１に記載のゴルフクラブヘッド。
【請求項３】
中央厚肉部及び環状溝は、所定の板厚を有する前記環状溝よりも大径の打球板の一方面側に形成され、前記環状溝の外縁側には前記打球板に対してほぼ垂直な壁面を形成した環状の突堤が形成され、前記打球板をフェース部に形成した透孔に嵌合するとともに、周囲に形成されたフランジ部を前記フェース部に固着し、前記打球板と前記フェース部の表面を同一面とした請求項１に記載のゴルフクラブヘッド。
【請求項４】
中央厚肉部及び環状溝は、ウッド型のゴルフクラブヘッドのボールを打球するフェース部の内面に形成された請求項１乃至３のいずれかに記載のゴルフクラブヘッド。
【請求項５】
中央厚肉部及び環状溝は、アイアン型のゴルフクラブヘッドのボールを打球するフェース部の内面に形成された請求項１乃至３のいずれかに記載のゴルフクラブヘッド。
【請求項６】
フェース部の内面に形成した中央厚肉部及び環状溝の内面側には、剛性を有する凹陥規制板が設けられ、この凹陥抑制板はボールを打球したときに前記中央厚肉部の移行により当接し、常時は前記中央厚肉部から離間させた請求項１乃至５のいずれかに記載のゴルフクラブヘッド。
【発明の詳細な説明】
【技術分野】
【０００１】  本発明は、フェース部の反発性能を向上しうるゴルフクラブヘッドに関する。
【背景技術】
【０００２】  ゴルフクラブヘッドの中で、とりわけドライバーやスプーンなどのウッド型のゴルフクラブヘッドにあっては、より遠くに打球を飛ばす飛距離性能が求められる。打球をより遠くまで効率的に飛ばすためには、ヘッドの反発性能を向上させることが効果的であり、従来では、ボールを打球するフェース部の剛性を下げることにより、フェース部を撓み易くする技術が種々提案されている。【０００３】  例えば実公平２−２９９７３号公報（特許文献１）には、図１１（Ａ）に示すように、ヘッド本体部１００の打球面部に断面略コ字状のフェース面部１０１を設け、このフェース面部１０１の内周角縁部１０２を薄肉にすることが示されている。また、特開平９−２９９５１９号公報（特許文献２）には、図１１（Ｂ）に示すように、ウッド型ゴルフクラブヘッドにおいて、フェース壁部１０３の内面に、この内面を囲むように横長楕円形の溝部１０４を設けることが開示されている。このように、フェース部の内面に横長楕円形の溝部を設けることは、特開２００１−１２９１３１公報（特許文献３）、特開２００１−１２９１３３公報（特許文献４）、特開２００４−３１３３５４公報（特許文献５）、特開２００４−３５８２２５公報（特許文献６）、特開２００５−１４３６０１公報（特許文献７）にも開示されている。
【先行技術文献】
【特許文献】
【０００４】
【特許文献１】実公平２−２９９７３号公報
【特許文献２】特開平９−２９９５１９号公報
【特許文献３】特開２００１−１２９１３１公報
【特許文献４】特開２００１−１２９１３３公報
【特許文献５】特開２００４−３１３３５４公報
【特許文献６】特開２００４−３５８２２５公報
【特許文献７】特開２００５−１４３６０１公報
【発明の開示】
【発明が解決しようとする課題】
【０００５】  しかしながら、特許文献１に示されたゴルフクラブヘッドは、フェース面部の内周角縁部だけを薄肉化するものであるため、フェース部の剛性低下を十分に図ることができず、かつ低剛性化を図りすぎると、フェース面部１０１に破損が生じやすい。また、特許文献２に示されたゴルフクラブヘッドは、フェース部の中央部の厚さが５ｍｍ以上に設定されるなど、反発性能の向上にはさらなる改善の余地を残している。【０００６】  さらに、特許文献２乃至７に示されたゴルフクラブヘッドにあっては、フェース部の内面に設けられた溝部が横長楕円形に形成されているため、ボールがフェース部の溝部内部の肉厚部分に打球すると、縦方向の溝部までの距離が短いことから撓み難くなり、溝部に亀裂等の破損が生じやすい。また、このような環状の溝部は、本来、フェース部の剛性を低下させることにより、打球時にフェース部を十分に撓ませてスプリング効果を発揮させヘッドの反発性能を向上させるものである。しかし、肉厚部分にボールが打球したとき、溝部までの縦方向と横方向の距離が異なるために、スプリング効果が縦方向と横方向でアンバランスとなり、このため、打球の打ち出し初速を増すことができず、想定した飛距離が得られない。【０００７】  本発明の課題は、以上のような問題点に鑑み、フェース部の耐久性の低下を防止しつつ反発性能を向上でき、飛距離を増大させることが可能なゴルフクラブヘッドを提供することにある。
【課題を解決するための手段】
【０００８】  上記課題を解決するため、本発明によるゴルフクラブヘッドは、ボールを打球するフェース部を有するゴルフクラブヘッドであって、前記フェース部の内面には、スイートスポット点を前記フェース部の中心点として所定の厚さを有する円形状の中央厚肉部と、この中央厚肉部の外縁を囲むように形成された環状溝を有し、この環状溝は、前記中央厚肉部から前記環状溝の底部に向けて傾斜させた斜面が形成されるとともに、前記環状溝の外縁側は前記フェース部に対してほぼ垂直な壁面を形成して断面形状を略Ｖ字状に形成し、前記環状溝の底部と前記フェース部との間の厚さを０．１ｍｍ〜０．９ｍｍとしたことを要旨としている。【０００９】  さらに、中央厚肉部及び環状溝は、所定形状に形成されたフェース部の内面に一体に形成している。【００１０】  また、中央厚肉部及び環状溝は、所定の板厚を有する前記環状溝よりも大径の打球板の一方面側に形成され、前記環状溝の外縁側には前記打球板に対してほぼ垂直な壁面を形成した環状の突堤が形成され、前記打球板をフェース部に形成した透孔に嵌合するとともに、周囲に形成されたフランジ部を前記フェース部に固着し、前記打球板と前記フェース部の表面を同一面としても良い。【００１１】  また、中央厚肉部及び環状溝は、ウッド型のゴルフクラブヘッドのボールを打球するフェース部の内面に形成される。【００１２】  また、中央厚肉部及び環状溝は、アイアン型のゴルフクラブヘッドのボールを打球するフェース部の内面に形成される。【００１３】  また、フェース部の内面に形成した中央厚肉部及び環状溝の内面側には、剛性を有する凹陥規制板が設けられ、この凹陥抑制板はボールを打球したときに前記中央厚肉部の移行により当接し、常時は前記中央厚肉部から離間させることが望ましい。
【発明の効果】
【００１４】  本発明のゴルフクラブヘッドによれば、ゴルフクラブヘッドのフェース部の内面に、中央厚肉部と、この中央厚肉部を囲む環状溝を円形に形成することにより、ボールがフェース部の円形状の中央厚肉部に打球したとき、環状溝までの距離が等しいので均一に撓むことから、中央厚肉部の全周方向でバランス良くスプリング効果が生じて、打球の打ち出し初速を増すことができ、飛距離を増大することができる。また、円形状の中央厚肉部と環状溝を均一の撓ませることによって、環状溝に亀裂等の破損が生じ難くなる。しかも、環状溝の底部とフェース部との間の厚さを０．１ｍｍ〜０．９ｍｍとしているので、フェース部の剛性を効率的に低下させることができ、打球時にフェース部を十分に撓ませることが可能となり、ヘッドの反発性能を向上させることが可能となる。さらに、中央厚肉部から環状溝の底部に向けて傾斜させた斜面を形成し、環状溝の外縁側に形成したほぼ垂直な壁面によって断面形状を略Ｖ字状に形成したことにより、打球時のフェース部の撓みを助長させることができ、しかも、環状溝の外縁側に形成したほぼ垂直な壁面によって、打球時の撓みを受け止めるため、中央厚肉部と環状溝を重点に撓ませることができるので、ヘッドの反発性能をさらに向上させて、飛距離を増大させることが可能となる【００１５】  また、中央厚肉部及び環状溝を所定形状に形成されたフェース部の内面に一体に形成することにより、環状溝の断面形状を略Ｖ字状に形成して、内部に中央厚肉部を形成することにより、容易にゴルフクラブヘッドのフェース部を形成することができる。【００１６】  中央厚肉部及び環状溝を形成した打球板をゴルフクラブヘッドのフェース部とは別部品として形成し、打球板とフェース部の表面とが同一面となるようにフェース部に固着することにより、例えば、打球板とフェース部とを異なる材質により形成して、打球時の撓み性能を変化させ、この打球板と種々のゴルフクラブの組み合わせを変えることにより、ゴルファーに最適なゴルフクラブを提供することができる。【００１７】  中央厚肉部及び環状溝をウッド型のゴルフクラブヘッドのフェース部の内面に形成した場合、フェース部の面積が大きいことから、円形状の中央厚肉部及び環状溝の直径を大きくすることが可能であり、このため、打球時にフェース部を十分に撓ませることが可能となり、ヘッドの反発性能を向上させることが可能となるので、飛距離を増大することができる。【００１８】  中央厚肉部及び環状溝をアイアン型のゴルフクラブヘッドのフェース部の内面に形成した場合、アイアンクラブであっても打球時にフェース部を撓ませることより、ヘッドの反発性能を向上させることが可能となるので、ウッド型のゴルフクラブヘッドと同様にヘッドの反発性能を向上させることが可能となるので、飛距離を増大することができる。【００１９】  中央厚肉部及び環状溝の内面側に凹陥規制板を設けると、ボールの打球により環状溝が変位して撓むことにより、中央厚肉部がフェース部の内面側に移行してフェース面よりも過度に凹陥することが抑制できるので、ボールを数多く打球させても、ヘッドの反発性能を維持させることが可能となる。
【図面の簡単な説明】
【００２０】
【図１】本発明の実施形態を示すウッド型のゴルフクラブヘッドの正面図である。
【図２】図１に示すゴルフクラブヘッドの縦断面図である。
【図３】図１に示すゴルフクラブヘッドのフェース部の要部拡大断面図である。
【図４】図１に示すゴルフクラブヘッドのフェース部の斜視図である。
【図５】本発明によるゴルフクラブヘッドの他の実施形態を示す正面図である。
【図６】図５に示すゴルフクラブヘッドの打球版を示す断面図である。
【図７】フェース部の中央厚肉部に打球したときの状態を示す要部断面図である。
【図８】中央厚肉部及び環状溝に凹陥抑制板を設けた状態を示す断面図である。
【図９】本発明の実施形態を示すアイアン型のゴルフクラブヘッドの正面図である。
【図１０】図９に示すゴルフクラブヘッドの断面図である。
【図１１】（Ａ）（Ｂ）は、従来のヘッドを説明する説明図である。
【発明を実施するための形態】
【００２１】  本発明によるボールを打球するフェース部を有するゴルフクラブヘッドであって、前記フェース部の内面には、スイートスポット点を前記フェース部の中心点として所定の厚さを有する円形状の中央厚肉部と、この中央厚肉部の外縁を囲むように形成された環状溝を有し、この環状溝は、前記中央厚肉部から前記環状溝の底部に向けて傾斜させた斜面が形成されるとともに、前記環状溝の外縁側は前記フェース部に対してほぼ垂直な壁面を形成して断面形状を略Ｖ字状に形成し、前記環状溝の底部と前記フェース部との間の厚さを０．１ｍｍ〜０．９ｍｍとしている。
【００２２】  以下、図面に基づいて本発明の好適な実施例について説明する。図１は、ウッド型のゴルフクラブヘッドに適用した実施例を示している。ゴルフクラブヘッド（以下、「ヘッド」と略記する。）１は、ボールを打撃するフェース部２と、ヘッド上面をなすクラウン部３と、ヘッド底面をなすソール部４と、クラウン部３とソール部４との間をのびヘッド側面を形成するサイド部５と、図示しないシャフトが装着される筒状のネック部６とを備えている。このヘッド１は、金属材料からなり、内部を中空としたウッド型に構成されている。
【００２３】  ヘッド１は、鍛造、鋳造、プレスフォーミングなどにより形成され、高強度かつ低比重のチタン合金を用いるのが望ましい。特にボールを打球するフェース部２は、引張強度が大であるβ型チタン合金を用いるのが望ましい。なおβ型チタン合金は、鋳造には不向きであるため、フェース部２を除いたヘッド本体部については鋳造容易なα＋β型のチタン合金で形成し、両部材を溶接等により接合して形成することが生産性を考慮した場合には好ましい。
【００２４】  また、フェース部２は、例えば２ｍｍ〜８ｍｍの所定の厚さｔ１を有し、中央部には、円形状の中央厚肉部２ａと、この中央厚肉部２ａの外縁を囲むように形成された環状溝２ｂが形成されている。中央厚肉部２ａは、スイートスポット点Ｓと中心を一致させることが望ましい。また、この実施例においては、中央厚肉部２ａの厚さｔ２は、フェース部２の厚さｔ１と同じにしているが、ボールが中央厚肉部２ａに打球したときに生ずる撓み方による打球の打ち出し初速によって増減させても良い。
【００２５】  中央厚肉部２ａの外縁を囲むように形成された環状溝２ｂは、図２、図３及び図４に示すように、中央厚肉部２ａの周縁から環状溝２ｂの底部に向けて傾斜させた斜面２ｃが形成され、さらに環状溝２ｂの外縁側はフェース部２に対してほぼ垂直な壁面２ｄが形成され、これにより、断面形状を略Ｖ字状に形成している。また、環状溝２ｂの底部とフェース部２との間の厚さｔ３は０．１ｍｍ〜０．９ｍｍとしている。この厚さｔ３は、ボールを打球するフェース部２の剛性を下げることによって撓み易くするために重要であり、厚さｔ３を０．１ｍｍ以下にした場合には、亀裂等の破損が生じやすくなる。一方、厚さｔ３を０．９ｍｍ以上にした場合には、剛性低下を十分に図ることができないために、打球の打ち出し初速が低下して所期の飛距離が得られない。
【００２６】  斜面２ｃは、中央厚肉部２ａの周縁から環状溝２ｂの底部に向けて厚さを滑らかに減少させている。これにより、中央厚肉部２ａと環状溝２ｂとのとの間で大きな剛性段差が生じるのを防止し、打球時の応力集中による耐久性悪化を効果的に防止している。この斜面２ｃの角度は、耐久性を低下させない範囲で適宜に設定される。なお、図示の斜面２ｃは、直線状に厚さを漸減させているが、断面形状において凹面状に形成しても良い。
【００２７】  一方、環状溝２ｂの外縁側をフェース部２に対してほぼ垂直な壁面２ｄに形成すると、厚肉のフェース部２における剛性が高いために撓みが生じ難いことから、環状溝２を重点的に撓ませることになる。この結果、ヘッドの反発性能をさらに向上させて、飛距離を増大させることに寄与する。このような作用は、環状溝２の外縁側にほぼ垂直な壁面を形成し、断面形状を略Ｖ字状に形成することにより生ずることであって、壁面を滑らかに傾斜させた場合には、打球時の撓みを受け止めることができず、ヘッドの反発性能が低下するのみならず、環状溝２に亀裂等の破損が生じやすくなることが確認されている。
【００２８】  以上説明したように、フェース部２の内面に設けられ中央厚肉部２ａ及び環状溝２ｂを円形状に形成することにより、ボールがフェース部２の中央厚肉部２ａに打球すると、環状溝２ｂまでの距離が等しいことから、環状溝２ｂが均等に撓み易くなり、環状溝２ｂの破損が生じ難くなる。また、中央厚肉部２ａにボールが打球したとき、環状溝２ｂまでの距離が全周囲で等しいので、スプリング効果が偏ること無くバランスされるので、打球の打ち出し初速を増すことができる。
【００２９】  図５は、本発明によるヘッドの他の実施例を示し、ヘッド１のフェース部２の円形状の打球板７を固着している。この打球板７は、前述したフェース部２と同様に、引張強度が大であるβ型チタン合金を用いるのが望ましく、その他、マグネシウム合金を用いても良い。打球板７は、図６に示すように、一方面側に円形状の中央厚肉部７ａ及び環状溝７ｂが形成され、環状溝７ｂの外縁側には打球板７に対してほぼ垂直な壁面７ｃを形成した、中央厚肉部７ａ及び環状溝７ｂと同心円の環状の突堤７ｄが形成されている。さらに、突堤７ｄの周囲には、フランジ部７ｅが形成されている。このフランジ部７ｅには、フェース部２に固着するためのビス８を挿通する複数の透孔７ｆが、円周上に等間隔に形成されている。
【００３０】  打球板７の円形状の中央厚肉部７ａ及び環状溝７ｂは、図２、図３に示す実施例と実質的に同様に形成している。すなわち、中央厚肉部７ａの周縁から環状溝７ｂの底部に向けて傾斜させた斜面７ｇが形成され、さらに、環状の突堤７ｄの垂直な内壁面７ｃによって、断面形状が略Ｖ字状に形成されている。また、環状溝７ｂの底部と打球板７の他方面との間の厚さｔ４は０．１ｍｍ〜０．９ｍｍとしている。そして、中央厚肉部７ａ等を形成した他方面側は、フェース部２と同一平面となるように形成されている。
【００３１】  一方、ヘッド１のフェース部２には、中心をスイートスポット点Ｓと一致させた透孔８が形成されている。この透孔８の内径寸法は、打球板７の突堤７ｃの外径寸法よりもやや大きく、突堤７ｃが嵌合するように形成されている。そして、フランジ部７ｅを複数のビス８によってフェース部２に固着する。なお、フェース部２と打球板７とを溶接によって固着するようにしても良い。
【００３２】  前述した実施例において、断面形状を略Ｖ字状に形成した環状溝２ｂは、底部とフェース部２との間の厚さｔ３を０．１ｍｍ〜０．９ｍｍと薄くすることにより撓み易くしている。このため、図７に示すように、ボール９を打球したとき、中央厚肉部２ａには１トン以上の衝撃が印加されることから、中央厚肉部２ａが押圧されて環状溝２ｂの底部が伸張し、ヘッド１の内部方向に寸法Ｌだけ移動する。フェース部２の材質の違いにより、大きな弾力を有する場合は復帰するが、弾力が小さい場合はフェース面側が僅かに陥没した状態となる。このように、寸法Ｌだけ陥没しても、フェース面に形成されるフェースライン溝（図示省略）の深さ程度のため、打球の打ち出し初速等への影響は認められないが、使用者に不安感を与えることがある。
【００３３】  この対策として、図８に示すように、フェース部２の内面に形成した中央厚肉部２ａ及び環状溝２ｂの内面側に、剛性を有する凹陥規制板１０を設ける。この凹陥規制板１０はボール９を打球したときに中央厚肉部２ａの移行により当接し、常時は中央厚肉部２ａから間隔Ｄだけ離間させている。凹陥規制板１０の材質としては、大きな剛性を有する例えばセラミック板が好ましい。また、間隔Ｄは、大きすぎると中央厚肉部２ａがフェース面に復帰しないことがあり、小さすぎると中央厚肉部２ａが凹陥規制板１０に当接して撓み難くなり、打球の打ち出し初速が低下することがあるので、フェース部２の材質によって適宜に設定することが望ましい。なお、凹陥規制板を設けることは、図５、図６に示した打球板７を設けた場合も同様である。
【００３４】  以上説明したヘッドは、ウッド型のゴルフクラブヘッドを例に挙げ説明したが、本発明  はこのような形態に限定されるものではなく、アイアン型やユーティリティ型などのヘッドについても適用することが可能である。
【００３５】  図９及び図１０は、アイアン型のゴルフクラブヘッドに適用した場合の実施例である。図９及び図１０に示すアイアン型ゴルフクラブヘッド（以下、「アイアンヘッド」と略記する。）１１は一般的な構成であり、その詳細な説明は省略するが、本発明にとって必要な構成について概要を説明する。
【００３６】  アイアンヘッド１１は、ヘッド本体１２と、シャフトを差し込み固定するホーゼル部１３から構成される。ヘッド本体１２は、前側にフェース部材１４が固着されている。フェース部材１４及びヘッド本体１２は、いずれも金属材料で構成される。フェース部材１４には、ヘッド本体１２よりも比重が小さい金属材料が用いられる。フェース部材１４に使用される金属材料としては、例えばチタン、チタン合金、アルミニウム合金、マレージング鋼又はアモルファス合金等が好適であり、とりわけ低比重かつ高強度のチタン合金またはアルミニウム合金が好ましい。また、ヘッド本体１２には、例えばＳＵＳ６３０、ＳＵＳ２５５又はＳＵＳ４５０等のようなステンレス鋼、マレージング鋼、Ｎｉ系合金又は軟鉄が好適であり、とりわけステンレス鋼、軟鉄又はマレージング鋼が好ましい。
【００３７】  フェース部材１４は、フェースラインＦＬなどを除いて実質的に一定の厚さｔｆで形成されている。なお、フェース部材１４は、周辺部が薄くかつ中央部が厚く形成されても良い。フェース部材１４の厚さｔｆは、使用する材料に応じて適宜定めることができるため特に限定はされないが、小さすぎると耐久性が悪化する傾向があり、大きすぎると打球時に十分な撓みが得られず飛距離が低下する傾向がある。このため、厚さｔｆは、１．０ｍｍ〜４．０ｍｍが望ましい。
【００３８】  ヘッド本体１２には、開口部の回りの前側にフェース受け部１５が設けられている。フェース受け部１５は、フェース部材１４の外周面を支持する内周面部１５ａと、フェース部材１５の周縁部を支持する受け面１５ｂからなる断面略ステップ状に形成されている。そして、フェース部材１４は、ヘッド本体１２のフェース受け部１５に嵌め込まれて、例えば接着、圧入、かしめ、溶接又はネジ止め等の接合手段により一体に固着される。
【００３９】  フェース部材１４は、前述したウッド型のゴルフクラブヘッドと同様に、中央部に円形状の中央厚肉部１４ａと、この中央厚肉部１４ａの外縁を囲むように形成された環状溝１４ｂが形成されている。中央厚肉部１４ａは、スイートスポット点Ｓと中心が一致させることが望ましい。また、この実施例においては、中央厚肉部１４ａの厚さｔ５は、フェース部材１４の厚さと同じにしているが、ボールが中央厚肉部１４ａに打球したときに生ずる撓み方による打球の打ち出し初速によって増減させても良い。
【００４０】  中央厚肉部１４ａの外縁に形成された環状溝１４ｂは、図１０に示すように、中央厚肉部１４ａの周縁から環状溝１４ｂの底部に向けて傾斜させた斜面１４ｃが形成され、さらに環状溝１４ｂの外縁側はフェース部材１４のフェース面１４ｄに対してほぼ垂直な壁面１４ｅが形成され、これにより、断面形状を略Ｖ字状に形成している。また、環状溝１４ｂの底部とフェース面１４ｄとの間の厚さｔ６は０．１ｍｍ〜０．９ｍｍとしている。この中央厚肉部１４ａ及び環状溝１４ｂについては、前述したウッド型のゴルフクラブヘッドの例と実質的に同様である。
【００４１】  さらに、斜面１４ｃも、中央厚肉部１４ａの周縁から環状溝１４ｂの底部に向けて厚さを滑らかに減少させている。これにより、中央厚肉部１４ａと環状溝１４ｂとのとの間で大きな剛性段差が生じるのを防止し、打球時の応力集中による耐久性悪化を効果的に防止している。なお、斜面１４ｃを断面形状において凹面状に形成しても良い。
【００４２】  また、環状溝１４ｂの外縁側をフェース部２に対してほぼ垂直な壁面１４ｅに形成することにより、厚肉のフェース部１４における剛性によって環状溝１４を重点的に撓ませ、この結果、ヘッドの反発性能をさらに向上させて、飛距離を増大させることに寄与することも前述したウッド型のゴルフクラブヘッドの例と同様である。なお、このように構成したアイアン型のゴルフクラブヘッドにおいても、図５に例示した打球板や、図７に例示した凹陥規制板を設けるようにしても良い。
【００４３】  以上、本発明を実施例に基づき具体的に説明したが、本発明は上記実施例に限定されるものではなく、その要旨を逸脱しない範囲で種々変形可能であることは言うまでもない。例えば、上述した実施例においては、ウッド型及びアイアン型のゴルフクラブヘッドともに、重心位置を適宜の位置に設定するために、形状の変更やバランスウエイトを配設するようにしても良い。
【符号の説明】
【００４４】１      ゴルフクラブヘッド
２      フェース部
２ａ    中央厚肉部
２ｂ    環状溝
２ｃ    斜面
２ｄ    壁面
７      打球板
７ａ    中央厚肉部
７ｂ    環状溝
７ｃ    壁面
７ｄ    突堤
７ｅ    フランジ部
１０    凹陥規制板
１１    アイアンヘッド
１４    フェース部材
１４ａ  中央厚肉部
１４ｂ  環状溝
【図１】
2017038905.tif 000003
【図２】
2017038905.tif 000004
【図３】
2017038905.tif 000005
【図４】
2017038905.tif 000006
【図５】
2017038905.tif 000007
【図６】
2017038905.tif 000008
【図７】
2017038905.tif 000009
【図８】
2017038905.tif 000010
【図９】
2017038905.tif 000011
【図１０】
2017038905.tif 000012
【図１１】
2017038905.tif 000013